【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】
記録装置に画像データを送信して記録させることが可能な画像供給デバイスであって、
前記記録装置から送信されるコードであって、複数段階の解析レベルを有するコードを受信する受信手段と、
前記コードに含まれる複数段階の解析レベルのうち、通知すべきレベルを決定する決定手段と、
前記コードを解析する解析手段と、
前記決定手段で決定したレベルに応じて、前記解析手段による前記コードの解析結果を通知する通知手段と、
を有することを特徴とする画像供給デバイス。
【請求項２】
前記決定手段は、前記記録装置のメーカ名を取得する取得手段を有し、前記取得手段により取得した前記メーカ名と前記画像供給デバイスのメーカ名とが一致するかどうかに応じて通知すべきレベルを決定することを特徴とする請求項１に記載の画像供給デバイス。
【請求項３】
前記コードは少なくとも共通コード及びベンダ固有コードを含むことを特徴とする請求項１に記載の画像供給デバイス。
【請求項４】
前記コードは、所定事象に対して複数の参照範囲を有し、通知すべきレベルに応じて、前記コード中の参照範囲が異なる事を特徴とする請求項１に記載の画像供給デバイス。
【請求項５】
更に、前記記録装置が前記複数の参照範囲のうちのいずれかに、共通コードとベンダ固有コードのいずれを設定するかを切り替えるために、画像供給デバイスを特定する情報もしくはメーカ名を、前記記録装置に送信する送信手段を有することを特徴とする請求項４に記載の画像供給デバイス。
【請求項６】
画像供給デバイスから記録装置に対して画像データを送信して記録させる記録システムであって、
前記記録装置は、前記画像供給デバイスに、複数段階の解析レベルを有するコードを送信する送信手段を有し、
前記画像供給デバイスは、
前記記録装置から送信される前記コードを受信する受信手段と、
前記コードに含まれる複数段階の解析レベルのうち、通知すべきレベルを決定する決定手段と、
前記コードを解析する解析手段と、
前記決定手段で決定したレベルに応じて、前記解析手段による前記コードの解析結果を通知する通知手段と、
を有することを特徴とする記録システム。
【請求項７】
前記決定手段は、前記記録装置のメーカ名を取得する取得手段を有し、前記取得手段により取得した前記メーカ名と前記画像供給デバイスのメーカ名とが一致するかどうかに応じて通知すべきレベルを決定することを特徴とする請求項６に記載の記録システム。
【請求項８】
前記コードは少なくとも共通コード及びベンダ固有コードを含むことを特徴とする請求項６に記載の記録システム。
【請求項９】
前記コードは、所定事象に対して複数の参照範囲を有し、通知すべきレベルに応じて、前記コード中の参照範囲が異なる事を特徴とする請求項６に記載の記録システム。
【請求項１０】
更に、前記画像供給デバイスは、画像供給デバイスを特定する情報もしくはメーカ名を、前記記録装置に送信する送信手段を有し、
前記記録装置は、前記画像供給デバイスを特定する情報もしくはメーカ名に応じて前記複数の参照範囲のうちのいずれかに、共通コードとベンダ固有コードのいずれを設定するかを切り替えることを特徴とする請求項９に記載の記録システム。
【請求項１１】
画像供給デバイスから記録装置に対して画像データを送信して記録させる記録システムにおける記録制御方法であって、
前記記録装置から前記画像供給デバイスに、複数段階の解析レベルを有するコードを送信し、
前記記録装置から送信される前記コードを前記画像供給デバイスにより受信する受信工程と、
前記コードに含まれる複数段階の解析レベルのうち、通知すべきレベルを決定する決定工程と、
前記コードを解析する解析工程と、
前記決定工程で決定したレベルに応じて、前記解析工程による前記コードの解析結果を通知する通知工程と、
を有することを特徴とする記録制御方法。
【請求項１２】
前記決定工程では、前記記録装置のメーカ名を取得する取得工程を有し、前記取得工程で取得した前記メーカ名と前記画像供給デバイスのメーカ名とが一致するかどうかに応じて通知すべきレベルを決定することを特徴とする請求項１１に記載の記録制御方法。
【請求項１３】
前記コードは少なくとも共通コード及びベンダ固有コードを含むことを特徴とする請求項１１に記載の記録制御方法。
【請求項１４】
前記コードは、所定事象に対して複数の参照範囲を有し、通知すべきレベルに応じて、前記コード中の参照範囲が異なる事を特徴とする請求項１１に記載の記録制御方法。
【請求項１５】
更に、前記画像供給デバイスは、画像供給デバイスを特定する情報もしくはメーカ名を、前記記録装置に送信する送信工程を有し、
前記記録装置は、前記画像供給デバイスを特定する情報もしくはメーカ名に応じて前記複数の参照範囲のうちのいずれかに、共通コードとベンダ固有コードのいずれを設定するかを切り替えることを特徴とする請求項１４に記載の記録制御方法。
【手続補正２】
【補正対象書類名】明細書
【補正対象項目名】０００７
【補正方法】変更
【補正の内容】
【０００７】
【課題を解決するための手段】
上記目的を達成するために本発明の画像供給デバイスは以下のような構成を備える。即ち、
記録装置に画像データを送信して記録させることが可能な画像供給デバイスであって、
前記記録装置から送信されるコードであって、複数段階の解析レベルを有するコードを受信する受信手段と、
前記コードに含まれる複数段階の解析レベルのうち、通知すべきレベルを決定する決定手段と、
前記コードを解析する解析手段と、
前記決定手段で決定したレベルに応じて、前記解析手段による前記コードの解析結果を通知する通知手段と、
を有することを特徴とする。
【手続補正３】
【補正対象書類名】明細書
【補正対象項目名】０００８
【補正方法】変更
【補正の内容】
【０００８】
上記目的を達成するために本発明の記録システムは以下のような構成を備える。即ち、
画像供給デバイスから記録装置に対して画像データを送信して記録させる記録システムであって、
前記記録装置は、前記画像供給デバイスに、複数段階の解析レベルを有するコードを送信する送信手段を有し、
前記画像供給デバイスは、
前記記録装置から送信される前記コードを受信する受信手段と、
前記コードに含まれる複数段階の解析レベルのうち、通知すべきレベルを決定する決定手段と、
前記コードを解析する解析手段と、
前記決定手段で決定したレベルに応じて、前記解析手段による前記コードの解析結果を通知する通知手段と、
を有することを特徴とする。
【手続補正４】
【補正対象書類名】明細書
【補正対象項目名】０００９
【補正方法】変更
【補正の内容】
【０００９】
上記目的を達成するために本発明の記録制御方法は以下のような工程を備える。即ち、
画像供給デバイスから記録装置に対して画像データを送信して記録させる記録システムにおける記録制御方法であって、
前記記録装置から前記画像供給デバイスに、複数段階の解析レベルを有するコードを送信し、
前記記録装置から送信される前記コードを前記画像供給デバイスにより受信する受信工程と、
前記コードに含まれる複数段階の解析レベルのうち、通知すべきレベルを決定する決定工程と、
前記コードを解析する解析工程と、
前記決定工程で決定したレベルに応じて、前記解析工程による前記コードの解析結果を通知する通知工程と、
を有することを特徴とする。